(57)【要約】【課題】プレイヤーのゲームスキルに応じた対戦ゲームを標的叩きゲームにて実現するゲームシステムを提供する。【解決手段】ゲーム機３にて標的叩きゲームを実行するゲームシステムであって、プレイヤーの基準強度を決定する基準強度決定手段２９と、その基準強度に応じた対戦候補情報を選択する対戦候補情報選択手段１と、ゲーム中に標的がプレイヤーによって殴打された場合は、その殴打に対して測定された測定強度に基づいて対戦相手の勝敗に影響する情報を変化させ、殴打されなかったと場合は、基準強度に基づいてプレイヤーの勝敗に影響する情報を変化させる勝敗影響情報制御手段２９と、プレイヤー及び対戦相手の勝敗に影響する情報に基づいてゲームの勝敗を判定する勝敗判定手段２９とを有する。【選択図】図１
2007117504.tif 000002
【特許請求の範囲】
【請求項１】
ゲーム機の盤面に設けられた複数の開口部のそれぞれから標的を出没させ、その標的をプレイヤーに殴打させるゲームを実行するためのゲームシステムであって、
前記標的への殴打を検知して、その強度を測定する強度測定手段と、
前記プレイヤーの対戦候補情報となる、前記標的の殴打に関する能力情報を示した複数の対戦候補情報が記憶されている対戦候補情報記憶手段と、
前記プレイヤーに前記標的を殴打させ、その強度を前記強度測定手段によって測定することにより、前記プレイヤーの基準強度を決定する基準強度決定手段と、
前記基準強度に対応する前記能力情報を示した前記対戦候補情報を、前記対戦候補情報記憶手段から選択する対戦候補情報選択手段と、
前記対戦候補情報選択手段によって選択された対戦候補情報を前記プレイヤーの対戦相手とするゲームを制御するゲーム制御手段とを有し、
前記ゲーム制御手段は、
ゲームの開始時に、前記プレイヤー及び前記選択された対戦相手に対して、勝敗に影響する情報を設定する勝敗影響情報設定手段と、
前記ゲーム中に前記標的が殴打されたか否かを判断する殴打判断手段と、
前記殴打判断手段によって前記標的が殴打されたと判断された時は、その殴打に対して前記強度測定手段によって測定された測定強度に基づいて前記対戦相手の勝敗に影響する情報を変化させ、前記標的が殴打されなかったと判断された時は、前記基準強度に基づいて前記プレイヤーの勝敗に影響する情報を変化させる勝敗影響情報制御手段と、
前記勝敗に影響する情報に基づいて、前記ゲームの勝敗を判定する勝敗判定手段とを有するゲームシステム。
【請求項２】
前記勝敗影響情報設定手段は、体力に関する情報として、前記プレイヤー及び前記対戦相手のそれぞれの体力を数値で示す体力値をそれぞれ設定し、
前記ゲーム制御手段は、前記基準強度に基づいて、前記プレイヤーの体力値の変化量を基準変化量として決定する基準変化量決定手段と、前記測定強度に基づいて、前記対戦相手の体力値の減少量を測定変化量として決定する測定変化量決定手段とを更に有し、
前記勝敗影響情報制御手段は、前記標的が殴打されたと判断された時は、前記対戦相手の体力値を前記測定変化量だけ変化させ、前記標的が殴打されなかったと判断された時は、前記プレイヤーの体力値を前記基準変化量だけ変化させ、
前記勝敗判定手段は、前記体力値をもとに勝敗を判定する、ことを特徴とする請求項１に記載のゲームシステム。
【請求項３】
前記勝敗影響情報制御手段は、前記標的が殴打されたと判断された時は、前記対戦相手の体力値を前記測定変化量だけ減らし、前記標的が殴打されなかったと判断された時は前記プレイヤーの体力値を前記基準変化量だけ減らす、ことを特徴とする請求項１又は２に記載のゲームシステム。
【請求項４】
前記勝敗影響情報設定手段は、前記基準強度に基づいて、前記プレイヤー及び前記対戦相手のそれぞれの勝敗に影響する情報を設定することを特徴とする請求項１〜３のいずれか１項に記載のゲームシステム。
【請求項５】
前記標的が殴打される速さを測定する速さ測定手段と、
前記プレイヤーに前記標的を殴打させ、その速さを前記速さ測定手段によって測定することにより、前記プレイヤーの基準速さを決定する基準速さ決定手段と、を更に有し、
前記対戦候補情報選択手段は、前記基準強度及び前記基準速さに対応する前記能力情報を示した前記対戦候補情報を、前記対戦候補情報記憶手段から選択する、ことを特徴とする請求項１〜４のいずれか１項に記載のゲームシステム。
【請求項６】
前記ゲーム制御手段は、前記基準速さ決定手段によって決定された前記基準速さに応じて、前記ゲームにおける前記各開口部に出没する標的の出没態様を設定する出没態様設定手段を有する、ことを特徴とする請求項５に記載のゲームシステム。
【請求項７】
前記対戦候補情報記憶手段及び対戦候補情報選択手段を備えたサーバと、前記強度測定手段、前記基準強度決定手段、前記速さ測定手段、前記基準速さ決定手段、及び前記ゲーム制御手段を備えた前記ゲーム機とが、データの送受信可能に接続されていることを特徴とする請求項１〜６のいずれか１項に記載のゲームシステム。
【請求項８】
遊戯台上の盤面に設けられた複数の開口部のそれぞれから標的を出没させて標的をプレイヤーに殴打させるゲームを実行し、前記プレイヤーの対戦候補情報となる、前記標的の殴打に関する能力情報を示した複数の対戦候補情報を有するサーバとデータの送受信可能に接続されたゲーム機であって、
前記標的が殴打されると、その殴打の強度を測定する強度測定手段と、
前記プレイヤーに前記標的を殴打させ、その強度を前記強度測定手段によって測定することにより、前記プレイヤーの基準強度を決定する基準強度決定手段と、
前記基準強度に対応する前記能力情報を示した対戦候補情報を前記サーバから取得する対戦候補情報取得手段と、
前記対戦候補情報取得手段によって取得された対戦候補情報を、前記プレイヤーの対戦相手としたゲームを制御するゲーム制御手段とを有し、
前記ゲーム制御手段は、
ゲームの開始時に、前記プレイヤー及び前記選択された対戦相手に対して、勝敗に影響する情報を設定する勝敗影響情報設定手段と、
前記ゲーム中に前記標的が殴打されたか否かを判断する殴打判断手段と、
前記殴打判断手段によって前記標的が殴打されたと判断された時は、その殴打に対して前記強度測定手段によって測定された測定強度に基づいて前記対戦相手の勝敗に影響する情報を変化させ、前記標的が殴打されなかったと判断された時は、前記基準強度に基づいて前記プレイヤーの勝敗に影響する情報を変化させる勝敗影響情報制御手段と、
前記プレイヤー及び前記対戦相手の前記勝敗に影響する情報に基づいて、前記ゲームの詳細を判定する勝敗判定手段とを有するゲームシステム。
【請求項９】
ゲーム機の盤面に設けられた複数の開口部のそれぞれから標的を出没させ、その標的をプレイヤーに殴打させるゲームを実行するためのゲームシステムであって、
前記標的が殴打される速さを測定する速さ測定手段と、
前記プレイヤーの対戦候補情報となる、前記標的の殴打に関する能力情報を示した複数の対戦候補情報が記憶されている対戦候補情報記憶手段と、
前記プレイヤーに前記標的を殴打させ、その速さを前記速さ測定手段によって測定することにより、前記プレイヤーの基準速さを決定する基準速さ決定手段と、
前記基準強度に対応する前記能力情報を示した前記対戦候補情報を、前記対戦候補情報記憶手段から選択する対戦候補情報選択手段と、
前記対戦候補情報選択手段によって選択された対戦候補情報を前記プレイヤーの対戦相手とするゲームを制御するゲーム制御手段とを有し、
前記ゲーム制御手段は、
前記基準速さ決定手段によって決定された前記基準速さに応じて、前記ゲームにおける前記各開口部に出没する標的の出没態様を設定する出没態様設定手段と、
ゲームの開始時に、前記プレイヤー及び前記対戦相手に対して、勝敗に影響する情報を設定する勝敗影響情報設定手段と、
前記出没態様設定手段によって設定された出没態様で出没する前記標的が殴打されたか否かを判断する殴打判断手段と、
前記殴打判断手段によって前記標的が殴打されたと判断されると、前記対戦相手の勝敗に影響する情報に所定の変化を与え、前記標的が殴打されなかったと判断された時は、前記プレイヤーの勝敗に影響する情報に前記所定の変化を与える勝敗影響情報制御手段と、
前記勝敗に影響する情報に基づいて、前記ゲームの勝敗を判定する勝敗判定手段とを有するゲームシステム。
【発明の詳細な説明】
【技術分野】
【０００１】
本発明は、複数の標的を叩くことを競うゲームシステム及びゲーム機に関する。
【背景技術】
【０００２】
ゲーム機の盤面に複数の穴が設けられ、その穴から出没する標的を叩いて、その叩いた数を競ういわゆる標的叩きゲームは、既に広く知られている（例えば、特許文献１及び特許文献２参照）。また、複数の難易度が容易されている標的叩きゲームも知られている（例えば、特許文献３参照）。
【０００３】
【特許文献１】実開平６−８３０８８号公報
【特許文献２】特開平１１−２２６２３８号公報
【特許文献３】特開２００２−２００３３０号公報
【発明の開示】
【発明が解決しようとする課題】
【０００４】
しかし、他のプレイヤーと同じ標的をめぐって争うような対戦ゲームとしての標的叩きゲームは存在しない。従来、標的叩きゲームはプレイヤー一人によって行われるので、他のプレイヤーと対戦する場合は、叩いた回数や叩いた速さといった数値を他のプレイヤーと争うだけであり、対戦感覚に乏しい。また、対戦するプレイヤー同士のゲームスキルが同じ程度でないと対戦ゲームとして充分に楽しむことができないが、プレイヤーの好きな時間、好きな場所で常に同じ程度のゲームスキルを有する者と対戦することは困難である。
【０００５】
そこで、本発明は、プレイヤーのゲームスキルに応じた対戦ゲームを標的叩きゲームにて実現するゲームシステム及びゲーム機を目的とする。
【課題を解決するための手段】
【０００６】
本発明は、以下の手段により上述した課題を解決する。なお、本発明の理解を容易にするために添付図面の参照符号を括弧書きにて付記するが、それにより本発明が図示の形態に限定されるものではない。
【０００７】
本発明の第１のゲームシステム（ＧＳ）は、ゲーム機（３）の盤面（２１）に設けられた複数の開口部（２２）のそれぞれから標的（２３）を出没させ、その標的をプレイヤーに殴打させるゲームを実行するためのゲームシステムであって、前記標的への殴打を検知して、その強度を測定する強度測定手段（２９、３１）と、前記プレイヤーの対戦候補情報となる、前記標的の殴打に関する能力情報を示した複数の対戦候補情報が記憶されている対戦候補情報記憶手段（２）と、前記プレイヤーに前記標的を殴打させ、その強度を前記強度測定手段によって測定することにより、前記プレイヤーの基準強度を決定する基準強度決定手段（２９）と、前記基準強度に対応する前記能力情報を示した前記対戦候補情報を、前記対戦候補情報記憶手段から選択する対戦候補情報選択手段（１）と、前記対戦候補情報選択手段によって選択された対戦候補情報を前記プレイヤーの対戦相手とするゲームを制御するゲーム制御手段（２９）と、を有し、前記ゲーム制御手段は、ゲームの開始時に、前記プレイヤー及び前記選択された対戦相手に対して、勝敗に影響する情報を設定する勝敗影響情報設定手段（２９）と、前記ゲーム中に前記標的が殴打されたか否かを判断する殴打判断手段と、前記殴打判断手段によって前記標的が殴打されたと判断された時は、その殴打に対して前記強度測定手段によって測定された測定強度に基づいて前記対戦相手の勝敗に影響する情報を変化させ、前記標的が殴打されなかったと判断された時は、前記基準強度に基づいて前記プレイヤーの勝敗に影響する情報を変化させる勝敗影響情報制御手段（２９）と、前記プレイヤー及び前記対戦相手の前記勝敗に影響する情報に基づいて、前記ゲームの勝敗を判定する勝敗判定手段（２９）とを有することにより、上記の課題を解決する。
【０００８】
本発明によれば、基準強度決定手段によって決定される基準強度はプレイヤー自身による殴打の強度によって決定されるものであり、その基準強度に対応する殴打に関する能力情報を示した対戦候補情報が対戦候補情報選択手段によって選択され、ゲーム制御手段によって、選択された対戦候補情報を対戦相手としたゲームが行われる。これにより、殴打に関して同じ程度の能力を有する対戦相手が選択されたことになる。しかも、実際に対戦相手とゲームを行う場合と異なり、ゲームを行う場所や時間が対戦相手の都合に拘束されることはない。
【０００９】
そして、ゲーム開始時に、勝敗影響情報設定手段によってプレイヤー及び対戦相手のそれぞれに対して勝敗に影響する情報が設定され、勝敗影響情報制御手段によって、プレイヤーが標的を殴打した時はその測定強度が対戦相手の勝敗に影響する情報を変化させ、殴打し損なった時は基準強度がプレイヤーの勝敗に影響する情報を変化させ、勝敗判定手段によって最終的な両勝敗に影響する情報に基づいて勝敗が判定される。従って、殴打の強度がゲームの勝敗に影響する。本発明では、基準強度を対戦相手のゲーム中の殴打の強度を得るための情報として使用することにより、対戦相手と実際に対戦しなくてもあたかも対戦相手と争っている状態をつくり出すことができる。
【００１０】
例えば、基準強度はプレイヤーの殴打によって得られ、対戦相手はこの基準強度に基づいて選択されるので、対戦相手及びプレイヤーの基準強度はほとんど同じと考えることができる。従って、基準強度自体を、対戦相手の基準強度とみなして測定強度と同様に使用してもよい。また、基準強度に基づいて選択された対戦候補情報における殴打の能力情報に、基準強度に対応する強度情報を含ませておき、これを使用してもよい。これにより、選択された対戦相手と実際に対戦する必要なく、その対戦相手との対戦ゲームを実現することができる。従って、プレイヤーのゲームスキルに応じた対戦ゲームを、プレイヤーの好みの時間や好みの場所で実現するゲームシステムを提供することができる。しかも、単に殴打数のカウントによる勝敗ではないので、ゲームの興趣が向上する。
【００１１】
基準強度に対応する能力情報とは、能力情報に基準強度に対応する強度情報を含ませておき、プレイヤーの基準強度と同等の強度情報としてもよいし、基準強度とその基準強度に応じた能力情報とを対応付けるためのテーブルや計算方法を予め用意しておき、当該対応付けテーブルによって特定される能力情報でもよい。なお、対戦候補情報記憶手段に記憶されている対戦候補情報は、他のプレイヤーがゲームを行った際にその成績に基づいて記憶される情報であってもよいし、直接登録される情報であってもよい。
【００１２】
ゲーム開始時の勝敗に影響する情報は、予め一定情報として決められていてもよいし、所定の情報に基づいて決定されてもよい。勝敗に影響する情報はプレイヤー及び対戦相手のそれぞれの勝敗を判定する際に使用される情報であって、数値、文字、及び記号等を含む。「測定強度に基づいて」変化させるとは、測定強度のみによって変化させる場合と、測定強度に他の情報を加えて変化させる場合と、測定強度を使用して得られる他の情報によって変化させる場合とを含む。「基準強度に基づいて」変化させるとは、基準強度のみによって変化させる場合と、基準強度に他の情報を加えて変化させる場合と、基準強度を使用して得られる他の情報によって変化させる場合とを含む。勝敗の判定には、勝敗に影響する情報のみで勝敗を判定する場合と、勝敗に影響する情報以外の情報、例えば、殴打数又は標的の殴打によって獲得される得点等を加味して勝敗を判定する場合とを含む。
【００１３】
前記勝敗影響情報設定手段は、体力に関する情報として、前記プレイヤー及び前記対戦相手のそれぞれの体力を数値で示す体力値をそれぞれ設定し、前記ゲーム制御手段は、前記基準強度に基づいて、前記プレイヤーの体力値の変化量を基準変化量として決定する基準変化量決定手段と、前記測定強度に基づいて、前記対戦相手の体力値の減少量を測定変化量として決定する測定変化量決定手段とを更に有し、前記勝敗影響情報制御手段は、前記標的が殴打されたと判断された時は、前記対戦相手の体力値を前記測定変化量だけ変化させ、前記標的が殴打されなかったと判断された時は、前記プレイヤーの体力値を前記基準変化量だけ変化させ、前記勝敗判定手段は、前記体力値をもとに勝敗を判定してもよい。
【００１４】
これにより、勝敗に影響する情報を数値として扱うことができ、プレイヤーは標的を殴打すれば、対戦相手の体力値を測定変化量だけ変化させることができ、殴打し損なった時はプレイヤー自身の体力値が基準変化量だけ変化する。お互いに相手の体力値を変化させ、その体力値に基づいて勝敗が判定される。例えば、対戦相手の体力値を早く所定値にするように、プレイヤーに標的を殴打させる対戦ゲームを実現することができる。
【００１５】
前記勝敗影響情報制御手段は、前記標的が殴打されたと判断された時は、前記対戦相手の体力値を前記測定変化量だけ減らし、前記標的が殴打されなかったと判断された時は前記プレイヤーの体力値を前記基準変化量だけ減らしてもよい。これにより、プレイヤーが標的を殴打すればするほど、対戦相手の体力値を減少させ、殴打し損なえば損なうほどプレイヤーの体力値が減少するゲームを実現することができる。
【００１６】
前記勝敗影響情報設定手段は、前記基準強度に基づいて、前記プレイヤー及び前記対戦相手のそれぞれの勝敗に影響する情報を設定してもよい。これにより、基準強度をゲーム開始時の勝敗に影響する情報に反映させることができる。従って、例えば、基準強度が低い程、勝敗に影響する情報をゲームとして面白味がないように設定するようにすれば、プレイヤーが故意に低い基準強度を設定することを回避することができる。「基準強度に基づいて、」とは、基準強度のみの場合と、基準強度に他の情報が加えられる場合と、基準強度を使用して得られる他の情報の場合とがある。
【００１７】
前記標的が殴打される速さを測定する速さ測定手段（２９）と、前記プレイヤーに前記標的を殴打させ、その速さを前記速さ測定手段によって測定することにより、前記プレイヤーの基準速さを決定する基準速さ決定手段（２９）と、を更に有し、前記対戦候補情報選択手段は、前記基準強度及び前記基準速さに対応する前記能力情報を示した前記対戦候補情報を、前記対戦候補情報記憶手段から選択してもよい。この場合も、基準速さと能力情報との対応は、予め基準の速さと基準速さに応じた能力情報とを対応させるためのテーブルや計算方法を予め用意しておけばよい。これにより、ゲームスキルを殴打の強度と殴打の速さとの２つのパラメータを使用して判断し、プレイヤーのゲームスキルに応じた対戦相手を選択することができる。
【００１８】
前記ゲーム制御手段は、前記基準速さ決定手段によって決定された前記基準速さに応じて、前記ゲームにおける前記各開口部に出没する標的の出没態様を設定する出没態様設定手段（２９）を有していてもよい。基準速さは、プレイヤーの殴打の速さに関するスキルとみなされるので、本発明により、そのスキルに適応した出没態様のゲームを実現することができる。出没態様とは、各標的が各開口部に出没する態様であって、例えば、標的の出没するタイミング、標的を出現状態にする時間、及び出没のための標的の移動速度である出没速度によって決定される。
【００１９】
前記対戦候情報補記憶手段及び対戦候補情報選択手段を備えたサーバ（１）と、前記強度測定手段、前記基準強度決定手段、前記速さ測定手段、前記基準速さ決定手段、及び前記ゲーム制御手段を備えた前記ゲーム機とが、データの送受信可能に接続されていてもよい。これにより、複数のゲーム機でサーバを利用することができ、複数のゲーム機が存在する場合であっても、対戦候補情報記憶手段を集中的に管理することができる。また、対戦候補情報を各ゲーム機におけるプレイ結果から得られる情報とすれば、全国規模の対戦候補者に関する情報を得ることができる。
【００２０】
本発明のゲーム機（３）は、遊戯台（２０）上の盤面（２１）に設けられた複数の開口部（２２）のそれぞれから標的（２３）を出没させて標的をプレイヤーに殴打させるゲームを実行し、前記プレイヤーの対戦候補情報となる、前記標的の殴打に関する能力情報をした複数の対戦候補情報を有するサーバとデータの送受信可能に接続されたゲーム機であって、前記標的が殴打されると、その殴打の強度を測定する強度測定手段（２９、３１）と、前記プレイヤーに前記標的を殴打させ、その強度を前記強度測定手段によって測定することにより、前記プレイヤーの基準強度を決定する基準強度決定手段（２９）と、前記基準強度に対応する前記能力情報を示した前記対戦候補情報を前記サーバから取得する対戦候補情報取得手段（２９）と、前記対戦候補情報取得手段によって取得された対戦候補情報を、前記プレイヤーの対戦相手としたゲームを制御するゲーム制御手段（２９）とを有し、前記ゲーム制御手段は、ゲームの開始時に、前記プレイヤー及び前記選択された対戦相手に対して、勝敗に影響する情報を設定する勝敗影響情報設定手段（２９）と、前記ゲーム中に前記標的が殴打されたか否かを判断する殴打判断手段（２９）と、前記殴打判断手段によって前記標的が殴打されたと判断された時は、その殴打に対して前記強度測定手段によって測定された測定強度に基づいて前記対戦相手の勝敗に影響する情報を変化させ、前記標的が殴打されなかったと判断された時は、前記基準強度に基づいて前記プレイヤーの勝敗に影響する情報を変化させる勝敗影響情報制御手段（２９）と、前記プレイヤー及び前記対戦相手の前記勝敗に影響する情報に基づいて、前記ゲームの詳細を判定する勝敗判定手段（２９）とを有することにより、上述した課題を解決する。このゲーム機により、対戦候補情報記憶手段の管理及び、対戦候補情報の選択をサーバに行わせる本発明のゲームシステムを実現することができる。
【００２１】
本発明の第２のゲームシステム（ＧＳ）は、ゲーム機（３）の盤面に設けられた複数の開口部（２２）のそれぞれから標的（２３）を出没させ、その標的をプレイヤーに殴打させるゲームを実行するためのゲームシステムであって、前記標的が殴打される速さを測定する速さ測定手段（２９、３１）と、前記プレイヤーの対戦候補情報となる、前記標的の殴打に関する能力情報を示した複数の対戦候補情報が記憶されている対戦候補情報記憶手段（２）と、前記プレイヤーに前記標的を殴打させ、その速さを前記速さ測定手段によって測定することにより、前記プレイヤーの基準速さを決定する基準速さ決定手段（２９）と、前記基準強度に対応する前記能力情報を示した前記対戦候補情報を、前記対戦候補情報記憶手段から選択する対戦候補情報選択手段（１）と、前記対戦候補情報選択手段によって選択された対戦候補情報を前記プレイヤーの対戦相手とするゲームを制御するゲーム制御手段（２９）とを有し、前記ゲーム制御手段は、前記基準速さ決定手段によって決定された前記基準速さに応じて、前記ゲームにおける前記各開口部に出没する標的の出没態様を設定する出没態様設定手段（２９）と、ゲームの開始時に、前記プレイヤー及び前記対戦相手に対して、勝敗に影響する情報を設定する勝敗影響情報設定手段（２９）と、前記出没態様設定手段によって設定された出没態様で出没する前記標的が殴打されたか否かを判断する殴打判断手段（２９）と、前記殴打判断手段によって前記標的が殴打されたと判断されると、前記対戦相手の勝敗に影響する情報に所定の変化を与え、前記標的が殴打されなかったと判断された時は、前記プレイヤーの勝敗に影響する情報に前記所定の変化を与える勝敗影響情報制御手段（２９）と、前記勝敗に影響する情報に基づいて、前記ゲームの勝敗を判定する勝敗判定手段とを有していてもよい。
【００２２】
本発明の第２のゲームシステムにより、基準速さ決定手段によってプレイヤーの標的の殴打の速さの基準となる基準速さが決定され、対戦候補情報選択手段によってプレイヤーの基準速さに応じた能力情報を示した対戦候補情報が選択され、選択された対戦候補情報を対戦相手とした対戦ゲームが行われる。これにより、プレイヤーのゲームスキルを基準速さとし、ゲームスキルに応じた対戦相手が選択されたことになる。従って、本発明では実際に対戦相手とゲームを行う場合と異なり、ゲームを行う場所や時間が対戦相手の都合に拘束されることはない。
【００２３】
ゲームにおいては、勝敗影響情報制御手段によって、プレイヤーが標的を殴打するたびに対戦相手の勝敗に影響する情報に所定の変化を与え、プレイヤーが標的を殴打し損なった時は対戦相手によって殴打されたものとみなして、標的を殴打し損なうたびにプレイヤーの勝敗に影響する情報に所定の変化与えることができる。そして、勝敗判定手段によって勝敗に影響する情報い基づいて勝敗が判定される。ゲーム中の標的の出没態様は、出没態様設定手段によって基準速さに応じた出没態様に設定されるので、例えば、プレイヤーの基準速さが高い、即ちゲームスキルが高い程、出没態様を複雑にすることができる。出没態様が複雑になると標的の殴打の困難性が高くなる。これにより、プレイヤーのゲームスキルに応じたゲームを提供することができる。
【００２４】
従って、本発明は、プレイヤーのゲームスキルを基準速さとし、この基準速さに応じた対戦候補情報を対戦相手として選択し、基準速さに応じた標的の出没態様を設定することにより、プレイヤーのゲームスキルに応じた対戦ゲームを、プレイヤーの好みの時間や好みの場所で実現するゲームシステムを提供することができる。
【００２５】
殴打の速さは、プレイヤーの標的の殴打の速さを示すパラメータであればよく、例えば、１つの標的を殴打するのにかかる時間、一定時間内において殴打された標的の数、あるいは一定数の標的を全て殴打するにかかる時間等がある。基準速さに対応する能力情報とは、能力情報に基準速さに対応する速さ情報を含ませておき、プレイヤーの基準速さと同等の速さ情報としてもよいし、基準速さとその基準速さに応じた能力情報とを対応付けるためのテーブルや計算方法を予め用意しておき、当該対応付けテーブルによって特定される能力情報でもよい。出没態様、対戦候補情報記憶手段、勝敗に影響する情報の概念は第１のゲームシステムと同様である。
【発明の効果】
【００２６】
上述したように、本発明によれば、プレイヤーの基準強度を決定する基準強度決定手段を有し、基準強度に応じた対戦候補情報を対戦相手として選択し、プレイヤーによる殴打があった時はその殴打の強度に基づいて対戦相手の勝敗に関する情報を変化させ、対戦相手による殴打として基準強度を対戦相手の強度としてプレイヤーの勝敗に関する情報を変化させ、勝敗に関する情報に基づいて勝敗を判定することにより、プレイヤーのゲームスキルに応じた対戦ゲームを標的叩きゲームにて実現するゲームシステムを提供することができる。
【発明を実施するための最良の形態】
【００２７】
図１は、本発明の第１のゲームシステムＧＳの一例を示す図である。ゲームシステムＧＳは、サーバ１とサーバ記憶部２と店舗Ｘに設置されたゲーム機３とで構成される。ゲーム機３とサーバ１は通信ネットワーク４を介してデータの送受信可能に接続されている。通信ネットワーク４は専用回線又は公衆回線を問わない。接続方法は従来既知の方法によるものでよい。なお、本形態のゲームシステムにおいては、更に他の店舗Ｙ、Ｚにもサーバ１に接続されたゲーム機３が設けられている。
【００２８】
サーバ１はゲーム機３から取得するデータに基づいて主に対戦候補情報選択手段として機能する。サーバ１は、サーバ１の動作を制御する制御部及びゲーム機３とデータの送受信を行う送受信部、これらの動作に必要な各種データを記憶する記憶手段を有する等、サーバとして従来既知のハードウェア構成でよい。サーバ記憶部２は、複数の対戦候補情報としての複数のプレイヤーデータ１０で構成されるプレイヤーテーブルＰＴが記憶されている。これによりサーバ記憶部３は対戦候補情報記憶手段として機能する。
【００２９】
プレイヤーデータ１０は、図２に示すように、店舗名１１、プレイヤー名１２及びゲームスコア１３が対応付けられて記憶されている。プレイヤーデータ１０は、プレイヤーがいずれかの店舗Ｘ、Ｙ、Ｚに設置されたゲーム機３にて行われたゲームの結果情報として作成され、記憶されるデータである。図２の例は、店舗ＸにてプレイヤーＡがゲーム機３にてゲームを行い、その結果ゲームスコア１３として「５５」を獲得したことを示す。
【００３０】
サーバ記憶部２には、更に、スコアランキングテーブルＳＴ、総回数ランキングテーブルＫＴ、最大強度ランキングテーブルＦＴが記憶されている。スコアランキングテーブルＳＴは、ゲームスコア１３の全国ランキングを店舗名１１及びプレイヤー名１２と共に示すテーブルである。総回数ランキングテーブルＫＴは、総回数ＳＫの全国ランキングを店舗名１１及びプレイヤー名１２と共に示すテーブルである。最大強度ランキングテーブルは、最大強度ＭＦの全国ランキングを店舗名１１及びプレイヤー名１２と共に示すテーブルである。ゲームスコア１３、総回数ＳＫ、及び最大強度ＭＦについては後述する。
【００３１】
図３〜図７を用いてゲーム機３の構成について説明する。図３を用いてゲーム機３の外観について説明する。ゲーム機３は遊戯台２０とその上に設けられた盤面２１と、プレイヤーに向かって略正面の位置にディスプレイ２４とが設けられている。盤面２１には７つの開口部２２…２２が設けられ、各開口部２２にはその開口部２２に出没可能な標的２３が設けられている。ゲーム機３では、プレイヤーが不図示のハンマーによって開口部２２に出没する標的２３を叩くことにより勝敗を競ういわゆる標的叩きゲームが行われる。
【００３２】
ゲーム機３の主なハードウェア構成を図４に示す。ゲーム機３は、ディスプレイ２４と、スピーカ２５と、ゲーム機記憶部２６と、送受信部２７と、７つの標的機構２８と、これら各構成の動作を制御する制御部２９とを有する。ディスプレイ２４には各種情報及び画像等が表示され、スピーカ２５からはプレイヤーへのメッセージ及び効果音等が出力される。ゲーム機記憶部２６は制御部２９にて行われる各種制御に必要なデータやテーブルが記憶されている。ゲーム機記憶部２６に記憶されているテーブルについては後述する。
【００３３】
送受信部２７はサーバ１とのデータの送受信を行う。標的機構２８には、標的２３と、標的２３を上下に移動させるモータ３０と、標的２３の殴打に関する情報を検知する殴打センサ部３１とが設けられている。標的機構２８は７つの標的２３…２３のそれぞれについて設けられ、各構成は同じである。標的機構２８の詳細については後述する。制御部２９はＣＰＵ及びその動作に必要なＲＡＭ２９ａ、ＲＯＭ２９ｂ等の各種周辺回路を備えている。
【００３４】
標的機構２８の詳細について、図５〜図７を用いて説明する。なお、標的機構２８の動作は制御部２９によって制御される。標的機構２８は、標的２３と、モータ３０と、殴打センサ部３１と、クラッチ３２と、ローラ３３と、アーム３４とで構成される。殴打センサ部３１は、スリット板４０とセンサ４１とセンサ４２とで構成される。モータ３０は制御部２９による動作制御に従って回転する。モータ３０の回転動力はクラッチ３２を介して伝達され、揺動駆動されるアーム３４がローラ３３を回転させる。ローラ３３の回転によって、標的２３が上下方向に移動するように動作する。標的２３の移動方向は、モータ３０の回転動力の方向によって決定される。これにより、標的２３は移動可能範囲の下端部に（以下「下端部」という。）位置する時は、図７（ａ）のように開口部２２に隠れた状態になり、移動可能範囲の上端部（以下「上端部」という。）まで移動すると、図７（ｂ）のように、開口部２２から出現した状態になる。
【００３５】
標的２３が上端部に達するとクラッチ３２が外されて所定時間停止させ、その後、標的２３を下降させる。標的２３の上下移動の動作制御は制御部２９によって行われる。本形態ではゲーム記憶部２６にはゲーム中の標的２３の多様な出没パターンが記憶されている。各出没パターンには各標的２３について開口部２３から出現するタイミング、上端部での停止時間、及び出没のための移動速度である出没速度等が設定されている。ゲーム記憶部２６から所定の出没パターンが選択されると、当該出没パターンに従って、制御部２９は各標的機構２８のモータ３０の動作制御を行う。これにより、選択された出没パターンに従って、７つの標的２３が開口部２２に出没する。従って、例えば、短時間に多くの標的２３が次々出没するパターンや各標的２３が１つずつゆっくり出没するパターン等、様々な出没態様を実現することができる。
【００３６】
殴打センサ部３１によって、制御部２９が殴打を検知する仕組みについて説明する。これにより、殴打センサ部３１及び制御部２９は強度測定手段として機能する。本形態では、上端部で停止中の標的２３が殴打された場合に、殴打を検知する。まず、停止時間中に殴打センサ部３１のセンサ４１、４２を作動状態にする。スリット板４０には一定間隔に並ぶ複数のスリットが形成されたスリット部４５とスリットが形成されていない非スリット部４６とが周方向に設けられている。
【００３７】
センサ４１、４２はフォトセンサであり、スリット板４０の回転に伴ってセンサ４１を通過するスリットを検出するたびにスリット検出信号を出力する。スリット部４５はスリット板４０が回転しても常にセンサ４１によってスリットを検出できる長さに構成されている。制御部２９はこのスリット検出信号をカウントすることによりセンサ４１を通過するスリットの数をカウントし、このカウント数に基づいて強度を算出する。強度の算出方法について、具体的に説明する。上端部で停止した標的２３が殴打されるとその標的２３はその衝撃によって下降し、これに伴ってローラ３３が回転する。このローラ３３の回転によってスリット板４０も回転する。
【００３８】
制御部２９は、この回転の際にセンサ４１によって検出されるスリット数を一定時間カウントし、このカウント数に基づいて加速度αを算出する。そして、この加速度αに所定の質量ｍを乗じた数値を殴打の強度Ｆとして判断する。なお、センサ４１を構成する２つのセンサにおけるスリットの検出のＯＮ状態とＯＦＦ状態との切り替わりの時間的差によって、標的２３の移動方向が上方向か下方向かを判断することができる。本形態では、スリットのカウント数が所定数に達すると標的２３への殴打があったと判断する。以下、対戦ゲーム中に標的２３が殴打されたと判断されることを「当たり」ということがある。
【００３９】
次に、プレイヤーが店舗Ｘのゲーム機３にて対戦ゲームを実行する場合を例にして、ゲームシステムＧＳにおいて行われる各処理について説明する。対戦ゲームが実行される際に行われるゲームシステムＧＳの処理の概略について、図８に示すフローチャートに従って説明する。まず、ステップＳ１００では、プレイヤーのエントリー操作に伴ってエントリー処理が行われる。エントリー操作としては、コインの投入及びプレイヤー名の入力等がある。エントリー処理としては、例えば、入力されたプレイヤー名の登録、及びゲームに関する情報のプレイヤーへの通知等がある。プレイヤーへの通知は、ディスプレイ２４やスピーカ２５を使って行われる。以下、ディスプレイ２４やスピーカ２５を使って所定の情報又は指示をプレイヤーに伝達することを、「プレイヤーへ通知する」または「プレイヤーに指示する」という。
【００４０】
次に、ステップＳ２００にて、練習モード処理が行われる。練習モード処理では、プレイヤーの基準強度及び基準速さが設定される。基準強度及び基準速さについては後述する。続いて、ステップＳ３００では、プレイヤーの基準強度及び基準速さに基づいて対戦相手を決定するための対戦相手決定処理が行われ、ステップＳ４００で、設定された対戦相手との対戦ゲームを行うための対戦ゲーム処理が行われる。
【００４１】
対戦ゲームにおいては、ディスプレイ２４に図１６に示すような対戦相手Ｂと体力ゲージＴＧとを示す対戦画面が表示される。体力ゲージＴＧには、プレイヤーの勝敗に影響する情報としての体力値を示すプレイヤーゲージＴＧ１と対戦相手Ｂの勝敗に影響する情報としての体力値を示す相手ゲージＴＧ２とがある。図１６は、プレイヤーＡと対戦相手Ｂとが対戦する場合の対戦画面を示している。
【００４２】
本形態の対戦ゲームは予め決められた時間（以下「ゲーム時間」という）行われ、プレイヤーが標的２３を殴打したと判断される度に相手ゲージＴＧ２が示す体力値が減少し、対戦相手Ｂが標的２３を殴打したと判断される度にプレイヤーゲージＴＧ１が示す体力値が減少する。ゲーム時間内に相手の体力値を早く０にした方が勝者となる。ゲーム時間終了時に両者の体力値が残っている場合は体力値が大きい方が勝ちとなる。
【００４３】
練習モード処理について図９のフローチャートに従って説明する。練習モード処理はゲーム機３の制御部２９によって制御される。まず、ステップＳ２１０にて、基準強度を設定するために、いずれか１つの標的２３を開口部２３から出没させた状態で停止し、プレイヤーに殴打するように指示する。次にステップＳ２２０にて、エラーか否かが判断される。例えば、所定の測定時間を過ぎても殴打がない場合は、エラーと判断する。ステップＳ２２０にて、エラーと判断された場合はステップＳ２１０へ戻り、エラーと判断されない場合は、ステップＳ２３０へ進む。ステップＳ２３０では、プレイヤーによる標的２３への殴打の強度Ｆを上述した方法によって算出し、算出された強度Ｆをプレイヤーの基準強度として設定する。これにより、制御部２９は基準強度決定手段として機能する。なお、基準強度はプレイヤーに複数回殴打させることによって、複数の強度Ｆを得て、それらの最大値であってもよいし、平均値であってもよい。
【００４４】
続いて、ステップＳ２４０にて、７つ全ての標的２３を上端部で停止させ、プレイヤーに所定の測定時間内にできるだけ速く全ての標的２３を殴打するように指示する。当該指示後、ステップＳ２５０にてエラーが発生したか否かが判断される。例えば、所定の測定時間内に１つの標的も殴打されなかった場合はエラーと判断される。ステップＳ２５０にてエラーが発生したと判断された場合は、ステップＳ２４０へ戻り、エラーが発生していないと判断された場合は、ステップＳ２６０へ進む。
【００４５】
基準速さを算出するために測定が必要なパラメータは、測定時間内に殴打された標的２３の殴打数及び測定時間内に全ての標的２３が殴打された場合は残り時間である。これらは制御部２９によってカウントされ、これにより制御部２９は速さ測定手段として機能する。ステップＳ２６０では、測定した殴打数及び残り時間に基づいて速さを算出し、その算出された速さを基準速さとして設定する。速さは、例えば、１つの標的２３を殴打するのにかかる時間として算出すればよい。これにより、制御部２９は基準速さ決定手段として機能する。基準速さは基準強度と同様に、複数回測定して複数の基準速さを求め、それらの最大値であってもよいし、平均値であってもよい。
【００４６】
次に、ステップＳ２７０にて、基準強度及び基準速さに基づいて、所定の計算方法に従って、基準スコアを算出する。この基準スコアは、基準強度及び基準速さをゲームスキルとして有するプレイヤーが、対戦ゲームにて取得できるであろうゲームスコアを予測した値である。ゲームスコアの算出方法については後述する。以下、基準スコア及びゲームスコアを区別する必要のない時は、単に「スコア」という。以上で練習モード処理を終了する。
【００４７】
次に、対戦相手決定処理について図１０のシーケンス図を用いて説明する。対戦相手決定処理はサーバ１とゲーム機３とで行われ、サーバ１が行う処理はサーバ１の制御部によって制御され、ゲーム機３が行う処理はゲーム機３の制御部２９によって制御される。まず、ステップＳ３１０にて、ゲーム機３は算出した基準スコアを含む対戦相手情報要求を送信する。サーバ１は、ステップＳ３２０にて、対戦相手情報要求を受信し、ステップＳ３３０にて、サーバ記憶部２のプレイヤーテーブルＰＴを検索することにより、受信した基準スコアに同じ又は近いゲームスコア１３を有するプレイヤーデータ１０を選択する。これにより、サーバ１の制御部は対戦候補情報選択手段として機能する。
【００４８】
続いてサーバ１は、ステップＳ３４０にて、選択したプレイヤーデータ１０を対戦相手情報としてゲーム機３へ送信する。ゲーム機３は、ステップＳ３５０にて、対戦相手情報をプレイヤーの対戦相手に関する情報として受信し、ステップＳ３６０にて、対戦相手情報に含まれるプレイヤー名１２を対戦相手として設定する。以上で対戦相手決定処理を終了する。
【００４９】
ゲーム機３では、対戦相手決定処理にて対戦相手として設定されたプレイヤーを、対戦相手として見立てた対戦ゲームが行われる。従って、対戦相手の動作は実際には対戦相手情報を含む各種情報に基づくものであるが、説明の簡略のため、プレイヤーの対戦相手として見立てられるプレイヤーを単に「対戦相手」という。以下、エントリー操作を行ったプレイヤーをプレイヤーＡ、対戦相手を対戦相手Ｂという。
【００５０】
ゲーム機３が行う対戦ゲーム処理において行われる処理について、図１１のフローチャートに従って説明する。対戦ゲーム処理にて行われる各処理は、特にことわりのない限りゲーム機３の制御部２９によって制御される。これにより、制御部２９はゲーム制御手段として機能する。まず、ステップＳ４０５にて、初期設定処理が行われる。初期設定処理について、図１２に示すフローチャートに従って説明する。初期設定処理では、まず、ステップＳ６００にて、ゲーム中に使用される全てのパラメータが初期化される。ゲーム中に使用されるパラメータには、最大強度ＭＦ、総回数ＳＫ、総強度ＳＦ等がある。
【００５１】
次に、ステップＳ６１０にて、基準速さに基づいて出没パターンを決定する。本形態における出没パターンの決定は、まず、基準速さのスピードランクを決定する。例えば、図１７（ａ）に示すようなグラフに基づいて、各基準速さのスピードランクを決定すればよい。次に、図１７（ｂ）に示すような出没パターンテーブルを参照して、決定されたスピードランクに対応する出没パターンを選択し、この出没パターンを対戦ゲームにおける標的２３の出没パターンとして設定する。この設定された出没パターンに基づいて標的２３が出没することになる。これにより、スピードランクに応じた標的２３の出没態様を実現することができる。これにより、制御部２９は出没態様設定手段として機能する。なお、出没パターンテーブルとは、各標的２３の出没パターンとスピードランクとが対応付けられたテーブルであり、例えば、ゲーム機記憶部２６に記憶されている。
【００５２】
次に、ステップＳ６２０にて、初期体力値の設定を行う。初期体力値の設定では、プレイヤーＡの体力値及び対戦相手Ｂの体力値のそれぞれを設定する。これにより、制御部２９は勝敗影響情報設定手段として機能する。プレイヤーＡの初期体力値は基準強度に基づく値としての基準スコアによって決定され、対戦相手Ｂの初期体力値は基準強度に基づく値としての対戦相手情報のゲームスコア１３によって決定される。本形態では、図１８に示すようなグラフに基づいて、各スコアに対応する体力値を各初期体力値として設定すればよい。
【００５３】
次に、ステップＳ６３０にて、基準減少量を設定する。基準減少量とは、対戦相手Ｂの殴打によって、プレイヤーＡの体力値が減少する値である。本形態では、基準減少量は、基準強度によって決定する。例えば、図１９（ａ）に示すグラフに基づいて基準強度のランクであるパワーランクを決定し、図１９（ｂ）に示す減少量テーブルを参照して決定されたパワーランクに対応する減少量を基準減少量として設定すればよい。減少量テーブルは、各パワーランクにそのパワーランクに応じた減少量が対応付けられたテーブルであり、例えば、ゲーム機記憶部２６に記憶されている。以上で、初期設定処理は終了する。
【００５４】
初期設定処理が終了すると、図１１に戻って、ステップＳ４１０にて対戦画面がディスプレイに表示される。対戦画面には上述したように、プレイヤーゲージＴＧ１、相手ゲージＴＧ２及び対戦相手Ｂ等が表示される。プレイヤーゲージＴＧ１はプレイヤーＡの体力値に応じた長さ、相手ゲージＴＧ２は対戦相手Ｂの体力値に応じた長さでそれぞれ表示される。ステップＳ４１５にて、ゲームの開始合図を通知すると共にゲームタイマーの計時を開始する。これにより、対戦ゲームが開始される。ゲームタイマーはゲーム時間を計時するタイマーである。続いてステップＳ４２０にて、出没パターンに従って各標的２３の出没動作の制御が行われる。ステップＳ４２５にて、標的２３に対して当たりか否かが判断される。これにより、制御部２９は殴打判断手段として機能する。当たりの場合はステップＳ４３０に進み、当たり処理が行われる。当たり処理では、主に、対戦相手Ｂの体力値を減らす処理が行われる。当たり処理についての詳細は後述する。
【００５５】
当たりでない場合は、ステップＳ４３５に進み、プレイヤーＡの体力値を基準減少量だけ減らし、それに伴ってプレイヤーゲージＴＧ１の長さを更新する。ステップＳ４３０及びステップＳ４３５により、制御部２９は勝敗影響情報制御手段として機能する。次に、ステップＳ４４０では、プレイヤーＡ又は対戦相手Ｂの体力値が０に達したか否かが判断される。どちらかの体力値が０に達した場合は、ステップＳ４５０へ進む。どちらの体力値も０でない場合は、ステップＳ４４５にて、ゲーム時間終了か否かが判断される。ゲーム時間終了の場合は、ステップＳ４５０へ進み、ゲーム時間終了でない場合はステップＳ４２０へ戻る。ステップＳ４５０では、ゲームの勝敗を判定する終了処理が行われ、対戦ゲーム処理を終了する。終了処理の詳細については後述する。
【００５６】
当たり処理にて行われる処理について、図１３に示すフローチャートに従って説明する。当たり処理は、プレイヤーＡが殴打した標的２３毎に行われる。まず、ステップＳ７００において、上述した方法によって、殴打の強度Ｆを求める。以下、対戦ゲーム中のプレイヤーＡによる殴打の強度Ｆを測定強度という。次に、ステップＳ７１０にて、相手の体力値を更新する。例えば、基準強度から基準減少量を得た場合と同様に、図１９（ａ）に示すグラフから測定強度のパワーランクを決定し、図１９（ｂ）に示す減少量テーブルを参照して、決定されたパワーランクに対応する減少量の値を決定する。このように測定強度に基づいて得られる減少量を、以下「測定減少量」という。測定減少量の決定後、相手の体力値から測定減少量だけ減らし、それに伴って相手ゲージＴＧ２の長さも更新する。
【００５７】
次にステップＳ７２０にて、測定強度が最大強度ＭＦを超えるか否かが判断される。最大強度ＭＦを超える場合は、ステップＳ７３０に進んで最大強度ＭＦを当該測定強度に更新し、最大強度ＭＦを超えない場合は、ステップＳ７４０に進む。最大強度ＭＦは、対戦ゲーム中におけるプレイヤーＡの測定強度の最大値を示すパラメータである。ステップＳ７４０では、総強度ＳＦを更新する。総強度ＳＦは、対戦ゲーム中における測定強度の合計値を示すパラメータである。次にステップＳ７５０にて、総回数ＳＫを更新する。総回数ＳＫは、対戦ゲーム中において当たりとされた、殴打回数の合計値を示すパラメータである。以上で当たり処理を終了する。
【００５８】
終了処理にて行われる処理について、図１４に示すフローチャートに従って説明する。終了処理の各処理は、サーバ終了処理を除いてゲーム機３の制御部２９の制御によって行われる。終了処理では、まずＳ８００にて、勝敗を判定し、その結果をプレイヤーＡに通知する。勝敗の判定基準は上述したように、相手の体力値を０にした方、又は体力値の大きい方が勝者として判定される。これにより、制御部２９は勝敗判定手段として機能する。次に、ステップＳ８１０にて、プレイヤーＡのゲームスコア１３が算出される。ゲームスコア１３は、総強度ＳＦ、総回数ＳＫ及び、残り時間ＮＨに基づいて所定の計算方法によって求められる。残り時間ＮＨとは、対戦ゲームの残り時間を示すパラメータであり、ゲーム時間終了によって対戦ゲームが終了した場合の残り時間ＮＨは０である。
【００５９】
次に、ステップＳ８２０に進み、算出されたゲームスコア１３を含むプレイヤーデータ１０を作成する。プレイヤー名１２は、エントリー時に入力されたプレイヤー名を設定し、店舗名１１は、例えば、店舗名ＸをＲＯＭ２９ｂに記憶しておくことにより、これを取得して設定すればよい。続いて、ステップＳ８３０にて、プレイヤーデータ１３、最大強度ＭＦ及び総回数ＳＫを含むゲーム結果情報をサーバ１へ送信する。
【００６０】
続くステップＳ８４０では、サーバ１にてサーバ終了処理が行われる。サーバ終了処理では、プレイヤーＡのゲームスコア１３の全国ランキングが決定される。サーバ終了処理の詳細については後述する。ゲーム機３はステップＳ８５０にて、サーバ１からプレイヤーＡのゲームスコア１３の全国ランキングを取得し、その結果をディスプレイ２４に表示する。以上で終了処理を終了する。
【００６１】
サーバ終了処理にて行われる処理について、図１５に示すフローチャートに従って説明する。サーバ終了処理における各処理は、サーバ１の制御部によって制御される。まず、ステップＳ９００にて、ゲーム機３から送信されたゲーム結果情報を取得すると、ステップＳ９１０にて、ゲーム結果情報に含まれるプレイヤーデータ１０をサーバ記憶部２のプレイヤーテーブルＰＴに追加する。次にステップＳ９２０にて、ゲーム結果情報に含まれる情報に基づいて、サーバ記憶部２に記憶されている各ランキングテーブルＳＴ、ＫＴ、ＦＴを更新する。
【００６２】
即ち、スコアランキングテーブルＳＴを参照することにより、プレイヤーＡのゲームスコア１３の全国ランキングを決定すると共に、スコアランキングテーブルＳＴを更新する。同様に、最大強度テーブルＦＴを参照することにより、プレイヤーＡの最大強度ＭＦの全国ランキングの決定及び最大強度テーブルＦＴの更新が行われ、総回数テーブルＫＴを参照することにより、総回数ＳＫの全国ランキングの決定及び総回数テーブルＫＴの更新が行われる。最後に、ステップＳ９３０にて、ゲームスコア１３の全国ランキングをゲーム結果情報の送信元であるゲーム機３へ送信する。以上で、サーバ終了処理を終了する。
【００６３】
本発明の第２のゲームシステムＧＳについて説明する。第２のゲームシステムＧＳは、ゲームスキルとして基準速さにのみを対象とし、基準速さのみに基づいたゲームシステムＧＳである。第２のゲームシステムについて、上述した形態と異なる点について説明する。第２のゲームシステムにおいては、上述した形態における殴打の強度に関する処理は行わなくてよい。従って、殴打センサ部は殴打の有無を検知できる従来既知のセンサでもよい。対戦相手決定処理におけるサーバ１の制御部による対戦候補情報の選択は、上述の出没パターンの設定と同様に、基準速さに対応するゲームスコア１３をテーブルや計算方法によって決定し、当該ゲームスコア１３を有するプレイヤーデータ１０を選択する。
【００６４】
対戦ゲーム処理の初期体力値設定処理では、プレイヤーＡ及び対戦相手Ｂのそれぞれに対して同じ所定の体力値を初期体力値として設定する。対戦ゲーム処理にて、当たりと判断された時は当たり処理にて対戦相手の体力値から所定値を減らし、当たりでないと判断された時はプレイヤーの対戦相手の体力値から所定値を減らし、上述した形態と同様の条件によってゲームを終了する。従って、結果的に当たりと判断された標的の数×所定値が対戦相手の体力値から減じられ、当たりと判断されなかった標的の数×所定値がプレイヤーの体力値から減じられることになる。勝敗判定は上述した形態と同様でよい。
【００６５】
本発明は上述した形態に限らず、様々な形態にて実施して良い。例えば、プレイヤーテーブルＰＴのプレイヤーデータ１０は架空のプレイヤーに関するプレイヤーデータ１０を予め登録しておいてもよい。プレイヤーデータ１０のゲームスコア１３を更新できるようにしてもよい。プレイヤーの初期体力値も対戦相手Ｂの初期体力値も基準スコアの値によって決定されてもよい。勝つための目標である体力値は「０」でなくてもよい。
【００６６】
また、標的２３の動作制御とは別に盤面２１の動作制御も行われてもよい。この場合は、出没パターンと同様に、盤面２１の動作態様をパターンに分け、スピードランクに対応付ければよい。殴打センサ部３１のセンサは、衝撃度を検知する従来既知の衝撃センサであってもよい。標的２３の数は７つ以外であってもよいし、ゲーム機３は１台以上あれば台数を問わない。
【００６７】
第１のゲームステムにおいて、基準速さについては測定せず、基準強度のみに対応する能力情報を示した対戦候補情報を選択し、初期設定処理では、基準強度に応じた出没パターンを選択してもよい。また、本発明のゲームシステムＧＳは、１台のゲーム機３によって実現することも可能である。この場合は、サーバ記憶部２が記憶するテーブルＰＴ、ＳＴ、ＫＴ、ＦＴをゲーム機記憶部２６に記憶させ、制御部２９に対戦候補情報の選択機能を持たせればよい。なお、各ランキングは全国ランキングではなくゲーム機３におけるランキングとなる。
【図面の簡単な説明】
【００６８】
【図１】本発明のゲームシステムの一例を示す図。
【図２】プレイヤーテーブルの一例を示す図。
【図３】図１に示すゲームシステムにおけるゲーム機の一例を示す図。
【図４】図３に示すゲーム機のハードウェア構成の概略図。
【図５】図３に示すゲーム機の標的機構の断面図。
【図６】図５に示す標的機構を図５の方向Ｗから見た場合の断面図。
【図７】（ａ）は図５及び図６に示す標的が開口部に隠れたようすを示す図であり、（ｂ）は図５及び図６に示す標的が開口部から出現したようすを示す図である。
【図８】ゲームシステムにおいて行われる処理の概略を示す図。
【図９】練習モード処理の流れを示すフローチャート。
【図１０】対戦相手決定処理の流れを示すフローチャート。
【図１１】対戦ゲーム処理の流れを示すフローチャート。
【図１２】初期設定処理の流れを示すフローチャート。
【図１３】当たり処理の流れを示すフローチャート。
【図１４】終了処理の流れを示すフローチャート。
【図１５】サーバ終了処理の流れを示すフローチャート。
【図１６】対戦画面の一例を示す図。
【図１７】（ａ）は基準速さのスピードランクを決定するためのグラフの一例であり、（ｂ）は出没パターンテーブルの一例を示す図である。
【図１８】体力値を決定するためのグラフの一例を示す図。
【図１９】（ａ）は強度のパワーランクを決定するためのグラフの一例であり、（ｂ）は減少量テーブルの一例を示す図である。
【符号の説明】
【００６９】
１          サーバ
２          サーバ記憶部
３          ゲーム機
２１        盤面
２２        開口部
２３        標的
３１        殴打センサ部
【図１】
2007117504.tif 000003
【図２】
2007117504.tif 000004
【図３】
2007117504.tif 000005
【図４】
2007117504.tif 000006
【図５】
2007117504.tif 000007
【図６】
2007117504.tif 000008
【図７】
2007117504.tif 000009
【図８】
2007117504.tif 000010
【図９】
2007117504.tif 000011
【図１０】
2007117504.tif 000012
【図１１】
2007117504.tif 000013
【図１２】
2007117504.tif 000014
【図１３】
2007117504.tif 000015
【図１４】
2007117504.tif 000016
【図１５】
2007117504.tif 000017
【図１６】
2007117504.tif 000018
【図１７】
2007117504.tif 000019
【図１８】
2007117504.tif 000020
【図１９】
2007117504.tif 000021